(57)【特許請求の範囲】
【請求項１】
遊技盤面と、当該遊技盤面に設けられるくぎ部材と、当該くぎ部材に取り付けられ、遊技球の流れによって回転する風車と、を有する遊技機であって、
前記風車は、
前記くぎ部材を軸芯として当該軸芯の中心から放射状に延びる複数の羽根を有し、当該羽根にて遊技球を受けて一方向への回転と他方向への回転とを行う羽根部と、
前記遊技盤面に対して前記羽根部の前面側に設けられて回転する前板部と、
前記羽根部の前記一方向への回転を前記前板部に伝達するとともに当該羽根部の前記他方向への回転については当該前板部への伝達を抑制する接続部と、を備え、
前記接続部は、
前記羽根部または前記前板部の何れか一方に設けられ、回転軸方向の高さが回転方向において次第に高くなるように傾斜する斜面と、当該斜面の高い側の端から切り下がる壁面とを有する第１の面構造体と、
前記第１の面構造体が形成されていない前記羽根部または前記前板部の何れか一方に設けられ、当該第１の面構造体の前記斜面に当接するとともに、前記壁面に引っ掛かる爪部を有する第２の面構造体と、
前記第１の面構造体と前記第２の面構造体とを当接させる方向に付勢する付勢手段と
を有することを特徴とする遊技機。
【発明の詳細な説明】
【技術分野】
【０００１】
本発明は、パチンコ遊技機などの遊技機に関する。
【背景技術】
【０００２】
パチンコ遊技機などの遊技機には、遊技球の流れによって回転する風車が遊技盤の盤面に設けられる。一般的に、風車は、回転軸に対して放射状に延びた複数の羽根を有する羽根部と、羽根部の前面（遊技者側）に設けられる前板部とから構成される。そして、羽根部は、遊技球の流れによって、右方向または左方向に回転する。例えば、遊技者から見て盤面の中央より左側に風車が存在する場合には、盤面に沿って落下する遊技球がくぎ部材から中央側に向かう場合に羽根部は右方向（時計回り）に回転し、遊技球がくぎ部材から盤面の端側に向かう場合に羽根部は左方向（反時計回り）に回転する。
【０００３】
公報記載の従来技術として、風車を組立体として構成し、その一部部品の交換を可能とするものが存在する（例えば、特許文献１参照）。この公報記載の技術では、軸筒部の周囲に複数枚の羽根が放射状に一体形成された風車部材と、この風車部材の前面に取り付けられる化粧板とを係合させて組み立て可能に構成している。そして、風車部材に放射状に突出させた返し付き係止爪が化粧板の表面から返しを突出させた状態にて係止される。一方、この返しが係止孔による係止を回避する方向に窄まる様に係止爪を変形させることによって、風車を分解できるようにしている。
【先行技術文献】
【特許文献】
【０００４】
【特許文献１】特開２００９−２６８６２１号公報
【発明の概要】
【発明が解決しようとする課題】
【０００５】
ところで、パチンコ遊技機は、多数のくぎが打たれた盤面とその盤面やくぎを覆う透明板との間に遊技球を弾き入れ、くぎなどに弾かれながら落ちる球を入賞口に入れて遊ぶ遊技機である。多くのパチンコ遊技機では、例えば盤面の中央部に、遊技球が入ると入賞して特別図柄抽選が始動する始動口などの特定の入賞口が設けられている。そこで、このような盤面の中央部に特定の入賞口が設けられている遊技機にて、例えば大当たりの右打ち遊技などを除く通常の遊技時には、遊技者は、できるだけ中央部に遊技球が集中するように発射装置を操作する。このように、遊技者にとっては、遊技球が特定の入賞口に向かうように弾かれて落ちることが悦ばしいが、風車を回転させながら落下する遊技球は、必ずしも遊技者が望む方向に向かうものばかりではない。
【０００６】
本発明は、遊技者が望まない方向に対してあたかも遊技球があまり流れていないように、風車を用いて演出することを目的とする。
【課題を解決するための手段】
【０００７】
上記の目的を達成する本発明は、次のような遊技機として実現される。この遊技機１００は、遊技盤面１１０と、当該遊技盤面１１０に設けられるくぎ部材１２８と、当該くぎ部材１２８に取り付けられ、遊技球の流れによって回転する風車２,１’と、を有する遊技機１００であって、
前記風車２,１’は、
前記くぎ部材１２８を軸芯として当該軸芯の中心から放射状に延びる複数の羽根１２を有し、当該羽根１２にて遊技球を受けて一方向ＣＷへの回転と他方向ＣＣＷへの回転とを行う羽根部１０と、
前記遊技盤面１１０に対して前記羽根部１０の前面側に設けられて回転する前板部２０と、
前記羽根部１０の前記一方向ＣＷへの回転を前記前板部２０に伝達するとともに当該羽根部１０の前記他方向ＣＣＷへの回転については当該前板部２０への伝達を抑制する接続部（１７,２５）と、を備え、
前記接続部（１７,２５）は、
前記羽根部１０または前記前板部２０の何れか一方に設けられ、回転軸方向の高さが回転方向において次第に高くなるように傾斜する斜面１８１と、当該斜面１８１の高い側の端から切り下がる壁面１８２とを有する第１の面構造体１８と、
前記第１の面構造体１８が形成されていない前記羽根部１０または前記前板部２０の何れか一方に設けられ、当該第１の面構造体１８の前記斜面１８１に当接するとともに、前記壁面１８２に引っ掛かる爪部２６ａを有する第２の面構造体２６と、
前記第１の面構造体１８と前記第２の面構造体２６とを当接させる方向に付勢する付勢手段１２９とを有することを特徴とする。
【００１２】
なお、本欄における上記符号は、本発明の説明に際して例示的に付したものであり、この符号により本発明が減縮されるものではない。
【発明の効果】
【００１３】
本発明によれば、遊技者が望まない方向に対してあたかも遊技球があまり流れていないように、風車を用いて演出することが可能になる。
【図面の簡単な説明】
【００１４】
【図１】本実施形態に係るパチンコ遊技機の概略正面図である。
【図２】本実施形態のパチンコ遊技機の部分拡大図である。
【図３】本実施形態のパチンコ遊技機の制御ユニットの内部構成を示す図である。
【図４】実施形態１が適用される風車の全体図である。
【図５】実施形態１が適用される風車の分解図である。
【図６】実施形態１が適用される風車の断面図である。
【図７】実施形態１が適用される風車の動作を説明するための図である。
【図８】図５〜図７を用いて説明した歯車の他の例を説明するための図である。
【図９】図５〜図７を用いて説明した内歯車の他の例を説明するための図である。
【図１０】実施形態２が適用される風車の全体図である。
【図１１】実施形態２が適用される風車の分解図である。
【図１２】実施形態２が適用される風車の断面図である。
【図１３】実施形態２が適用される風車の動作を説明するための図である。
【図１４】実施形態３が適用される風車の全体図である。
【図１５】実施形態３が適用される風車の分解図である。
【図１６】実施形態３が適用される風車の断面図である。
【図１７】実施形態３が適用される風車の動作を説明するための図である。
【発明を実施するための形態】
【００１５】
以下、添付図面を参照して、本発明の実施の形態について詳細に説明する。
＜実施形態１＞
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。
【００１６】
遊技盤１１０は、ベニヤ板などを材料とする遊技板部材１１０ｄの前面側に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３とを備えている。
本実施の形態では、遊技者により視認され易い遊技領域１１１の位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。
また、遊技盤１１０の前面に、各種の演出に用いられる可動役物１１５および盤ランプ１１６を備えている。可動役物１１５は、遊技盤１１０上で動作することにより各種の演出を行い、また、盤ランプ１１６は、発光することで各種の演出を行う。
【００１７】
本実施の形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別図柄表示器を作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１８】
なお、パチンコ遊技機１００は、所定の条件下で、特別図柄抽選において大当たりに当選する大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする場合がある。
【００１９】
また、本実施の形態では、入賞や抽選に関するその他の役物として、特別図柄抽選の結果に応じて開放する特別電動役物としての大入賞口１２５と、遊技球が入賞しても抽選が始動しない普通入賞口１２６と、が遊技盤１１０に配設されている。
なお、本実施の形態では、遊技領域１１１に第１始動口１２１および第２始動口１２２が配設されているが、いずれか一方のみを配設する構成例やさらに他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。
【００２０】
遊技領域１１１には、遊技球が落下する方向に変化を与える複数の遊技くぎ１２７および風車１等が配設されている。図１に示すように、本実施形態の遊技盤１１０では、第１始動口１２１に遊技球が向かい易くなるように配列した遊技くぎ群１２７ｇを設けている。そして、本実施形態の遊技盤１１０では、風車１が遊技くぎ群１２７ｇによって形成される遊技球の移動経路の上流側に設けられている。
【００２１】
また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００２２】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００２３】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００２４】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２５】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１ｈと、第２始動口１２２の入賞に対応して作動する第２特別図柄表示器２２２ｈと、ゲート１２４の通過に対応して作動する普通図柄表示器２２３と、を備えている。第１特別図柄表示器２２１ｈは、第１始動口１２１の入賞による特別図柄を変動表示しその抽選結果を表示する。第２特別図柄表示器２２２ｈは、第２始動口１２２の入賞による特別図柄を変動表示しその抽選結果を表示する。普通図柄表示器２２３は、遊技球がゲート１２４を通過することにより普通図柄を変動表示しその抽選結果を表示する。第１特別図柄表示器２２１ｈ、第２特別図柄表示器２２２ｈおよび普通図柄表示器２２３の各々は、ＬＥＤ表示装置で構成され、その点灯態様によって各抽選結果を表す図柄が表示される。
【００２６】
また、表示器１３０は、第１特別図柄表示器２２１ｈでの保留に対応して作動する第１特別図柄保留表示器２１８と、第２特別図柄表示器２２２ｈでの保留に対応して作動する第２特別図柄保留表示器２１９と、普通図柄表示器２２３での保留に対応して作動する普通図柄保留表示器２２０と、を備えている。第１特別図柄保留表示器２１８、第２特別図柄保留表示器２１９および普通図柄保留表示器２２０の各々は、ＬＥＤ表示装置で構成され、その点灯態様によって保留数が表示される。
【００２７】
ここで、保留について説明する。特別図柄や普通図柄の変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。
【００２８】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２９】
〔制御ユニットの構成〕
次に、パチンコ遊技機１００での動作制御や信号処理を行う制御ユニットについて説明する。
図３は、制御ユニットの内部構成を示すブロック図である。同図に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像／音響制御部３１０と、各種のランプおよび可動役物１１５を用いた演出を制御するランプ制御部３２０と、払出球の払い出し制御を行う払出制御部４００と、を備えている。
【００３０】
前述したように、遊技制御部２００、演出制御部３００、画像／音響制御部３１０、ランプ制御部３２０、および払出制御部４００各々は、遊技盤１１０の後面に配設されたメイン基板としての遊技制御基板、サブ基板としての演出制御基板、画像制御基板、ランプ制御基板、および払出制御基板において個別に構成されている。
【００３１】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで開状態を維持するラウンドを所定回数だけ繰り返すように制御する。さらには、大入賞口１２５が開く際の開閉動作間隔を制御する。
【００３２】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００３３】
遊技制御部２００には、図２に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００３４】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１ｈと、第２始動口１２２への遊技球の入賞により始動した特別図柄抽選の結果を表示する第２特別図柄表示器２２２ｈと、普通図柄抽選の結果を表示する普通図柄表示器２２３と、パチンコ遊技機１００の状態を表示する状態表示器２２４と、が接続されている。
【００３５】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１ｈ、第２特別図柄表示器２２２ｈ、普通図柄表示器２２３および状態表示器２２４に送られる。それにより、遊技制御部２００は、上記した払い出し賞球数に関連する各種制御を行う。
【００３６】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００３７】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際、演出ボタン等を用いたユーザからの操作入力を受けて、操作入力に応じた演出内容を設定する場合もある。その際、演出ボタン等（演出ボタン１６１および演出キー１６２）を用いたユーザからの操作入力を受けて、操作入力に応じた演出内容を設定する場合もある。この場合、例えば演出ボタン等のコントローラ（不図示）から操作に応じた信号（操作信号）を受け付け、この操作信号により識別される操作内容を演出の設定に反映させる。また、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像／音響制御部３１０およびランプ制御部３２０に送る。
【００３８】
〔画像／音響制御部の構成・機能〕
画像／音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像／音響制御部３１０は、演出制御部３００から送られたコマンドに基づいて、画像表示部１１４に表示する画像およびスピーカ１５６から出力する音響を制御する。
具体的には、画像／音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ／アイテム表示等のための画像処理と、読み出した音響データを用いた音声処理とを行う。
そして、画像／音響制御部３１０は、画像処理された画像データにより画像表示部１１４での画面表示を制御する。また、音声処理された音響データによりスピーカ１５６から出力される音響を制御する。
【００３９】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
具体的には、ランプ制御部３２０のＲＯＭ３２２には、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００４０】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
具体的には、払出制御部４００は、遊技制御部２００から、遊技球が入賞した場所（第１始動口１２１等）に応じた所定数の賞球を払い出すコマンドを取得する。そして、コマンドに指定された数だけの賞球を払い出すように払出駆動部４１１を制御する。ここでの払出駆動部４１１は、遊技球の貯留部から遊技球を送り出す駆動モータで構成される。
【００４１】
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を、枠用外部情報端子基板４５０を介してホストコンピュータに送信する。また、遊技制御部２００に対しても、同様の情報を送信する。
【００４２】
次に、本実施形態が適用される風車１について説明する。
〔実施の形態１〕
図４〜図９は、実施形態１が適用される風車１を説明するための図である。図４（ａ）、（ｂ）は実施形態１が適用される風車１の全体図、図５（ａ）、（ｂ）は実施形態１が適用される風車１の分解図である。また、図６は実施形態１が適用される風車１の断面図であり、図７（ａ）、（ｂ）は、実施形態１が適用される風車１の動作を説明するための図である。さらに、図８（ａ）、（ｂ）は、図５〜図７を用いて説明した歯車１３の他の例を説明するための図であり、図９（ａ）、（ｂ）は、図５〜図７を用いて説明した内歯車２２の他の例を説明するための図である。
【００４３】
図４（ａ）及び（ｂ）に示すように、実施形態１の風車１は、遊技球を受けて回転する羽根部１０と、羽根部１０の遊技盤面側とは反対側（遊技者側）にて羽根部１０の回転軸方向に対して交差する方向に延伸して回転する前板部２０とを備えている。さらに、風車１は、羽根部１０が一方向に回転する際には羽根部１０の回転力を前板部２０へ伝達し、羽根部１０が他方向に回転する際には羽根部１０の回転力の前板部２０への伝達を制限する接続部（後述）を備えている。なお、実施形態１の風車１において、接続部は、後述する歯車１３と内歯車２２と（後述の図５参照）を備えて構成される。
実施形態１が適用される風車１では、羽根部１０と前板部２０とが固定されておらずにそれぞれ分離され、各々独立して回転できるように構成されている。そして、接続部は、本実施形態では羽根部１０が時計回り（図中矢印ＣＷ方向）に回転する場合に、羽根部１０の回転力を前板部２０に伝達する。また、接続部は、本実施形態では羽根部１０が反時計回り（図中矢印ＣＣＷ方向）に回転する場合に、前板部２０に対する羽根部１０の回転力の伝達を抑制する。
なお、以下の説明において、風車１における各部材の回転方向を表現する際には、図４（ａ）に示す風車１の羽根部１０の回転方向に関するＣＷ方向及びＣＣＷ方向を基準とする。
【００４４】
図５（ａ）に示すように、羽根部１０は、軸筒１１と、軸筒１１から放射状に延びる羽根板１２と、軸筒１１の軸方向一端側に設けられる歯車１３とを備えて構成されている。なお、羽根部１０の材料には、成形性を有する樹脂を用いることが好ましく、例えばポリアセタール樹脂（ＰＯＭ）などを用いることができる。
【００４５】
図５（ａ）及び（ｂ）に示すように、軸筒１１は、中空の棒状の部材であり、くぎ部材の一例としての風車くぎ１２８の外径よりも若干大きい内径を有する貫通孔１１ｈを有している。そして、軸筒１１の貫通孔１１ｈには、風車くぎ１２８が通される。
羽根板１２は、図５に示すように、軸筒１１の外周から放射状に突出する板状の部材である。また、羽根板１２の中心から外側までの長さは、前板部２０の半径よりも小さく設定されている。本実施形態の風車１において、羽根板１２は複数枚取り付けられている。なお、本実施形態の風車１において、羽根板１２は合計３枚設けているが、羽根板１２の枚数は３枚に限られず、例えば２枚や４枚以上であっても構わない。
【００４６】
歯車１３は、図５（ａ）に示すように、軸筒１１の軸芯方向の端部に、本実施形態では軸筒１１と一体成形されて設けられている。歯車１３は、前板部２０の内歯車２２に嵌め込まれ、内歯車２２と噛み合う部材である。歯車１３は、複数（本実施形態では４つ）の歯１３ａを備えている。各々の歯１３ａは、図５（ａ）に示すように、周方向においてＣＷ方向に、回転中心からの距離が次第に大きくなるようになだらかに傾斜した斜面１３１（滑り面）と、斜面１３１のＣＷ方向の端から切り下がる壁面１３２（掛かり面）とによってそれぞれ構成されている。また、歯１３ａは、後述するように内歯車２２の歯２２ａに接触することで圧縮変形し、歯２２ａとの接触が解かれると復元する程度の弾性を有している。
なお、歯車１３における歯１３ａの数は、本実施形態の４つに限定されるものではなく、少なくとも１つ設けられていれば良い。
【００４７】
図５（ａ）、（ｂ）に示すように、前板部２０は、羽根部１０の遊技盤面側とは反対側（遊技者側）に設けられる部材である。前板部２０は、回転板２１と内歯車２２とを備えて構成される。回転板２１及び内歯車２２の中心部には、風車くぎ１２８の外径よりも若干大きい内径を有する貫通孔２１ｈが形成されている。そして、風車１が遊技板部材１１０ｄに取り付けられる際には、この貫通孔２１ｈに風車くぎ１２８が通される。
回転板２１は、本実施形態では円板状の部材である。本実施形態の回転板２１は、羽根部１０の外側の端部（羽根板１２の先端部）まで覆うことができる程度の半径を有している。また、回転板２１の透明板側の面には、所定の装飾が施される。なお、回転板２１は、羽根部１０が透けて見えることを抑制するために、不透明なシートで形成するなどの所定の装飾が施されることが好ましい。また、本実施形態においては、例えば、回転板２１のＣＷ方向の回転を強調できるような模様を施しても良い。
【００４８】
内歯車２２は、回転板２１の羽根部１０と対峙する側に設けられる。内歯車２２は、羽根部１０の歯車１３と噛み合う部材である。内歯車２２は、図５（ｂ）に示すように、回転軸中心に向けて突出する複数（本実施形態では４本）の歯２２ａを有している。内歯車２２の各々の歯２２ａは、周方向のＣＷ方向に、回転中心から内周面までの距離が次第に大きくなる斜面２２１（滑り面）と、斜面２２１から切り下がる壁面２２２（受け面）とを備えて構成される。なお、前板部２０の材料には、成形性を有する樹脂を用いることが好ましい。本実施形態が適用される前板部２０の材料には、例えばエービーエス樹脂(ＡＢＳ)やポリカーボネート(ＰＣ)などを用いることができる。
【００４９】
図６に示すように、風車１が遊技板部材１１０ｄに取り付けられた状態において、羽根部１０の貫通孔１１ｈ、及び前板部２０の貫通孔２１ｈにそれぞれ風車くぎ１２８が通される。そして、羽根部１０及び前板部２０を風車くぎ１２８に通した状態で、風車くぎ１２８が遊技板部材１１０ｄの所定の位置に打ち込まれる。遊技板部材１１０ｄに対する風車くぎ１２８の打ち込みの深さは、図６に示すように、羽根部１０の歯車１３が前板部２０の内歯車２２の内側に入り込み、歯車１３と内歯車２２とが噛み合うことができるように設定される。
【００５０】
以上のように構成される風車１は、遊技板部材１１０ｄに取り付けられた状態において、羽根部１０の歯車１３と前板部２０の内歯車２２とが接続される。歯車１３の各々の歯１３ａにおいて、歯車１３がＣＷ方向に回転した際に、歯１３ａの進行方向前側に壁面１３２が位置し、その逆側となる進行方向後ろ側に斜面１３１が位置する。一方、内歯車２２の各々の歯２２ａは、上記の歯１３ａの壁面１３２と対向する側に壁面２２２が位置し、その逆側に斜面２２１が位置する。そして、風車１においては、所謂ラチェット機構を利用して、羽根部１０の回転方向に応じて羽根部１０の回転力の伝達を行う。風車１では、羽根部１０がＣＷ方向に回転する際、羽根部１０の歯車１３の歯１３ａが前板部２０の内歯車２２の歯２２ａに掛かることで羽根部１０の回転力が前板部２０に伝達する。また、風車１では、羽根部１０がＣＣＷ方向に回転する際、羽根部１０の歯車１３の歯１３ａが前板部２０の内歯車２２の歯２２ａを滑ることで羽根部１０の回転力を逸らして前板部２０への伝達を抑制する。
なお、実施形態１が適用される風車１において、歯車１３がラチェット機構の歯車として、内歯車２２がラチェット機構の歯止めとして機能する。
【００５１】
〔風車１の動作〕
続いて、図７を参照しながら、風車１の動作を説明する。なお、図７では、羽根部１０の歯車１３と、前板部２０の内歯車２２との関係を分かり易くするために、羽根板１２や回転板２１などの図示を省略している。
発射装置にて発射された遊技球が遊技領域１１１（図１参照）に供給されると、遊技球は、遊技くぎ１２７に接触して流下方向が変化しながら、遊技領域１１１を流れ落ちてゆく。遊技領域１１１を流下する遊技球のうち風車１へと到達した遊技球は、羽根部１０の軸筒１１や羽根板１２に衝突する。
【００５２】
遊技球が風車くぎ１２８の右側を流れる場合、風車くぎ１２８の右側に位置する羽根板１２が遊技球を受けることで、羽根部１０がＣＷ方向に回転する。羽根部１０がＣＷ方向に回転することにより、羽根部１０の歯車１３がＣＷ方向に回転する。そして、図７（ａ）に示すように、歯車１３がＣＷ方向に回転する場合、歯１３ａの壁面１３２が、内歯車２２における歯２２ａの壁面２２２に掛かる。そうすると、歯車１３の壁面１３２が前板部２０の内歯車２２の壁面２２２をＣＷ方向に向けて押し、回転板２１がＣＷ方向に回転する。従って、本実施形態が適用される風車１において、羽根部１０がＣＷ方向に回転する場合、前板部２０は、羽根部１０の回転に伴ってＣＷ方向に回転する。
【００５３】
一方、遊技球が風車くぎ１２８の左側を流れる場合、風車くぎ１２８の左側に位置する羽根板１２が遊技球を受けることで、羽根部１０はＣＣＷ方向に回転する。
羽根部１０がＣＣＷ方向に回転することにより、羽根部１０の歯車１３がＣＣＷ方向に回転する。そして、図７（ｂ）に示すように、歯車１３がＣＣＷ方向に回転する場合、羽根部１０における歯車１３は、歯１３ａの斜面１３１側から内歯車２２における歯２２ａの斜面２２１に接触する。この場合、歯車１３の歯１３ａは、内歯車２２の歯２２ａに引っ掛からずに滑る。従って、羽根部１０のＣＣＷ方向の回転力は、上述した羽根部１０のＣＷ方向の回転の場合と比較して、前板部２０には十分に伝達されない。このように、実施形態１が適用される風車１において、羽根部１０がＣＣＷ方向に回転する場合、前板部２０は、羽根部１０の回転に対する追従が抑制され、ＣＣＷ方向に回転しにくくなっている。
【００５４】
図１に示すように、本実施形態のパチンコ遊技機１００の遊技盤１１０においては、風車くぎ１２８の右側を流れる遊技球は、遊技くぎ群１２７ｇ側へと導かれ、多くの遊技球は第１始動口１２１へと向かう。このように、遊技球が風車１の右側を流れる場合、本実施形態の遊技盤１１０においては、遊技者にとって有利となる。一方、本実施形態において、風車くぎ１２８の左側を流れてくる遊技球は、遊技くぎ群１２７ｇ側には導かれずに、第１始動口１２１から遠ざかるように遊技盤１１０の外側へと導かれる。このように、遊技球が風車１の左側を流れる場合、本実施形態の遊技盤１１０においては、遊技者にとって不利となる。
【００５５】
風車１において、羽根部１０の回転方向は、遊技球が風車くぎ１２８の右側を流れるか左側を流れるかによって定まる。そして、遊技球が風車くぎ１２８の右側と左側とを半々に流れる場合、羽根部１０のＣＷ方向への回転数と羽根部１０のＣＣＷ方向の回転数とは等しくなる。そして、上述した通り、前板部２０はＣＷ方向には回転するものの、ＣＣＷ方向へは回転しにくく構成されている。従って、本実施形態の風車１において、羽根部１０のＣＷ方向への回転数とＣＣＷ方向の回転数とが等しくなる場合、前板部２０の回転数は、ＣＷ方向の回転の場合とＣＣＷ方向の回転の場合とで異なる。本実施形態が適用され風車１では、前板部２０のＣＷ方向への回転数が、ＣＣＷ方向への回転数と比較して高くなっている。
このため、遊技者は、遊技者にとって有利になる回転方向（本実施形態ではＣＷ方向）にばかり前板部２０が回転し、遊技者にとって不利になる回転方向（本実施形態ではＣＣＷ方向）には前板部２０があまり回転していないという印象を受ける。そして、前板部２０は、羽根部１０よりも遊技者側に配置されていることから、本実施形態の風車１によって、遊技者に対して、あたかも遊技者にとって有利となる回転方向にばかり遊技球が流れているかのような演出を行うことが可能となる。
【００５６】
特に、本実施形態の遊技盤１１０において、第１始動口１２１を遊技盤の中央部に配置している。本実施形態のように第１始動口１２１を遊技盤の中央部に配置した場合、遊技者は、基本的には、中央部に設けられる第１始動口１２１に注目する。
本実施形態では、第１始動口１２１へと遊技球が向かうように形成された遊技くぎ群１２７ｇにおける遊技球の流れの上流に風車１を配置し、その遊技くぎ群１２７ｇへと遊技球が向かう方向であるＣＷ方向にばかり風車１（前板部２０）が回転するようにしている。こうすることで、遊技者に対して、第１始動口１２１が設けられる遊技盤の中央部に遊技球が、集中しているように見せることができる。
【００５７】
次に、図８を参照しながら、羽根部１０の歯車１３について他の例を説明する。
図８（ａ）、（ｂ）に示す羽根部１０の歯車１３は、各々の歯１３ａにおいて斜面１３１に沿った切り欠き１４をそれぞれ有している。本実施形態では、切り欠き１４は、歯１３ａの壁面１３２の回転中心側の端（基端）からＣＣＷ方向に向けて切り込むようにして形成される。切り欠き１４の深さは、羽根部１０がＣＣＷ方向に回転し（図８（ｂ）参照）、前板部２０の内歯車２２における歯２２ａの壁面２２２に歯１３ａの斜面１３１が接触した際に、歯１３ａが軸芯方向に向けて撓んで変形することができる程度に設定している。
【００５８】
上述の歯車１３を備えた風車１において、羽根部１０がＣＷ方向に回転した場合、図８（ａ）に示すように、歯車１３の各々の歯１３ａは、壁面１３２が内歯車２２の歯２２ａの壁面２２２に接触して引っ掛かる。これによって、前板部２０は、羽根部１０のＣＷ方向の回転に伴ってＣＷ方向に回転する。
一方、羽根部１０がＣＣＷ方向に回転した場合、図８（ｂ）に示すように、歯車１３の各々の歯１３ａは、斜面１３１側から歯２２ａの斜面２２１に接触する。そして、歯１３ａは、歯２２ａに接触することで、回転軸中心に向けて変位するように撓む。その結果、羽根部１０の歯車１３は、前板部２０の内歯車２２に引っ掛からず、内歯車２２を滑りながら回転しようとする。そのため、前板部２０の回転板２１は、羽根部１０がＣＣＷ方向に回転する際には、羽根部１０の回転への追従が制限される。
【００５９】
続いて、図９を参照しながら、前板部２０の内歯車２２について他の例を説明する。
前板部２０の内歯車２２は、図９（ａ）、（ｂ）に示すように、各々の歯２２ａの斜面２２１に沿った切り欠き２４を備えている。本実施形態では、切り欠き２４は、本実施形態では、切り欠き１４は、歯２２ａの壁面２２２の外側の端（基端）からＣＷ方向に向けて切り込むようにして形成されている。切り欠き２４の深さは、羽根部１０がＣＣＷ方向に回転し（図９（ｂ）参照）、歯車１３における歯１３ａの斜面１３１が、内歯車２２における歯２２ａの斜面２２１に接触した際に、歯２２ａが回転軸中心から遠ざかる方向に変位することができるように設定している。
【００６０】
上述の内歯車２２を備えた風車１において、羽根部１０がＣＷ方向に回転した場合、図９（ａ）に示すように、歯車１３の各々の歯１３ａは、壁面１３２が内歯車２２の歯２２ａの壁面２２２に接触して引っ掛かる。これによって、前板部２０は、羽根部１０のＣＷ方向の回転に伴ってＣＷ方向に回転する。
一方、羽根部１０がＣＣＷ方向に回転した場合、図９（ｂ）に示すように、各々の歯１３ａが斜面１３１側から歯２２ａの斜面２２１に接触することで、歯２２ａが歯１３ａによって外側へ向けて変位する。このため、羽根部１０の歯１３ａは、前板部２０の内歯車２２に引っ掛からず、内歯車２２を滑りながら回転する。そのため、前板部２０は、羽根部１０の回転に対する追従が抑制され、ＣＣＷ方向の回転が制限される。
【００６１】
以上のように、図８及び図９を参照しながら説明した例では、歯１３における各々の歯１３ａに切り欠き１４を設けて各々の歯１３ａをより変形し易くする、あるいは内歯車２２の歯２２ａに切り欠き２４を設けて各々の歯２２ａをより変形し易くし、羽根部１０がＣＣＷ方向に回転する場合における、羽根部１０と前板部２０との間に生じる抵抗をより低減している。このようにして、羽根部１０がＣＣＷ方向に回転しようとする場合、前板部２０がＣＣＷ方向に、より回転しにくくなるように構成することもできる。
なお、図８に示すように歯１３の各々の歯１３ａに切り欠き１４を設け、かつ、図９に示すように内歯車２２の各々の歯２２ａに切り欠き２４を設けて風車１を構成しても良い。
【００６２】
また、本実施形態の風車１において、前板部２０は、ＣＣＷ方向の回転は抑制されているが、ＣＷ方向には回転可能に構成されている。このように構成される風車１において、羽根部１０は、ＣＷ方向に回転する際、前板部２０を追い越して回転することはない。一方で、前板部２０がＣＷ方向に回転する場合、前板部２０は、羽根部１０を追い越して回転することができる。特に、羽根部１０と前板部２０との間に生じる抵抗を低減すればするほど、より前板部２０が羽根部１０を追い越して回転させ易くなる。
そして、本実施形態の風車１において、例えば前板部２０がＣＷ方向に回転している状態にて、羽根部１０が止まった状態であっても、前板部２０はＣＷ方向の回転を継続することができる。具体的には、風車１は、羽根部１０がＣＷ方向に例えば１００回転した場合に、前板部２０はＣＷ方向に１００回転以上回転することができるように構成している。つまり、本実施形態の風車１において、前板部２０のＣＷ方向の回転数が、羽根部１０のＣＷ方向の回転数よりも高くなるようにしている。そして、本実施形態では、前板部２０と羽根部１０とのＣＷ方向における回転数が異なるように構成することで、風車１を用いて、遊技者にとって有利となる方向にばかりに遊技球が流れているように演出することを可能にしている。
【００６３】
〔実施形態２〕
続いて、実施形態２が適用される風車２について説明する。なお、実施形態１において説明した風車１と同様の部材等については、同一の符号を付してその説明を省略する。また、実施形態２の風車２は、遊技機１の遊技盤１１０において実施形態１が適用される風車１と同様の位置に設けられる（図１参照）。
図１０〜図１３は、実施形態２が適用される風車２を説明するための図である。図１０（ａ）、（ｂ）は実施形態２が適用される風車２の全体図、図１１（ａ）、（ｂ）は実施形態２が適用される風車２の分解図である。また、図１２は実施形態２が適用される風車２の断面図であり、図１３（ａ−１）、（ａ−２）、（ｂ−１）、（ｂ−２）は、実施形態２が適用される風車２の動作を説明するための図である。
なお、以下の説明において、風車２における各部材の回転方向を表現する際には、図１０（ａ）に示す風車２の羽根部１０の回転方向に関するＣＷ方向及びＣＣＷ方向を基準とする。
【００６４】
実施形態２の風車２は、図１０（ａ）及び（ｂ）に示すように、遊技球を受けて回転する羽根部１０と、羽根部１０の遊技盤面側とは反対側に設けられる前板部２０と、羽根部１０及び前板部２０が通される風車くぎ１２８に取り付けられる前板規制部材２３（後述の図１１参照）と、羽根部１０を前板部２０側へと押し付ける圧縮コイルばねである押しばね１２９とを備えて構成される。また、風車２は、羽根部１０が一方向に回転した際には羽根部１０から前板部２０への回転力の伝達し、羽根部１０が他方向に回転した際には羽根部１０から前板部２０への回転力の伝達を抑制する接続部（後述）を備えている。なお、実施形態２が適用される風車２において、接続部は、後述する第１接続部１７及び第２接続部２５（後述の図１１参照）を備えて構成される。
実施形態２が適用される風車２では、羽根部１０と前板部２０とは固定されておらずにそれぞれ分離しており、それぞれ独立して回転することができる。そして、接続部は、羽根部１０がＣＷ方向に回転する際、羽根部１０の回転力を前板部２０に伝達する。また、接続部は、羽根部１０がＣＣＷ方向に回転する際、羽根部１０の回転力を逸らし、前板部２０に対する羽根部１０の回転力の伝達を抑制する。
【００６５】
図１１（ａ）に示すように、羽根部１０は、軸筒１１と、軸筒１１から放射状に延びる羽根板１２と、軸筒１１の軸方向の一端側に設けられる第１接続部１７とを備えて構成さされている。
第１接続部１７は、図１１（ａ）に示すように、平面状の歯車である第１平面状歯車１８を有している。第１平面状歯車１８は、複数（本実施形態においては４枚）の面構造１８ａによって構成されている。第１平面状歯車１８を構成する各々の面構造１８ａは、軸方向における面の高さが、周方向のＣＷ方向に向けて次第に高くなるようになだらかに傾斜する斜面１８１（傾く面）と、斜面１８１のＣＷ方向の端から切り下がる壁面１８２（回転軸方向に切り立つ面）とによって構成されている。このように、第１平面状歯車１８は、回転軸方向に傾く複数の面が段差を有して放射状に形成されている。
【００６６】
前板部２０は、回転板２１と第２接続部２５とを備えている。第２接続部２５は、図１１（ｂ）に示すように、平面状の歯車である第２平面状歯車２６と、第２平面状歯車２６の内側に形成される内歯車２７とを有している。第２平面状歯車２６は、複数（本実施形態では４枚）の面構造２６ａ（爪部）によって構成されている。第２平面状歯車２６を構成する各々の面構造２６ａは、軸方向における面の高さが、周方向のＣＣＷ方向に次第に高くなるようになだらかに傾斜する斜面２６１と、斜面２６１のＣＣＷ方向の端から切り下がる壁面２６２とによって構成されている。
そして、風車２においては、遊技盤１１０に取り付けられた状態にて、第１平面状歯車１８の斜面１８１と、第２平面状歯車２６の斜面２６１とは、互いに向き合う関係を有する。また、風車２において、遊技盤１１０に取り付けられた状態にて、第１平面状歯車１８の壁面１８２と、第２平面状歯車２６の壁面２６２とは、互いに向き合う関係となっている。
【００６７】
内歯車２７は、図１１（ｂ）に示すように、第２接続部２５の内側に設けられる。内歯車２７は、後述する前板規制部材２３と噛み合うように構成されている。内歯車２７は、図１１（ｂ）に示すように、軸心側に向けて突出する複数（本実施形態では４本）の歯２７ａを有している。各々の歯２７ａは、軸心から内周面までの距離が、周方向にＣＷ方向に向けて次第に大きくなる斜面２７１と、斜面２７１のＣＷ方向の端から切り下がる壁面２７２とを備えて構成される。そして、内歯車２７の斜面２７１及び壁面２７２は、内歯車２７がＣＣＷ方向に回転した際に、歯２７ａの進行方向前側に壁面２７２が位置し、進行方向後ろ側に、回転中心から外周面までの距離が壁面２７２に向けて次第に長くなる斜面２７１が位置するように設けられる。
【００６８】
前板規制部材２３は、図１１（ｂ）に示すように、複数（本実施形態では４つ）の歯２３ａを有する歯車であり、前板部２０の内歯車２７と接続する部材である。前板規制部材２３には、風車くぎ１２８の外径とほぼ同じ大きさを有する貫通孔２３ｈが設けられている。そして、前板規制部材２３は、風車くぎ１２８に固定され、風車くぎ１２８に対して回転しないように構成されている。各々の歯２３ａは、図１１（ｂ）に示すように、回転中心から外周面までの距離が、周方向においてＣＷ方向に次第に大きくなるように傾斜した斜面２３１と、斜面２３１のＣＷ方向の端から切り下がる壁面２３２とによって構成されている。また、各々の歯２３ａは、後述するように前板部２０における内歯車２７の歯２７ａに接触した際に圧縮変形し、歯２７ａとの接触が解かれると復元する程度の弾性を有している。
【００６９】
押しばね１２９は、風車２が遊技盤１１０に取り付けられた状態にて、遊技板部材１１０ｄと羽根部１０との間において風車くぎ１２８に巻き付けられている。押しばね１２９の内側の径は、風車くぎ１２８の外径よりも若干大きくなっている。また、押しばね１２９は、他の部材に固定されることなく、風車くぎ１２８に対して回転可能に取り付けられる。押しばね１２９は、羽根部１０を前板部２０側へと押し付ける力を羽根部１０に対して付与する。なお、押しばね１２９のばね力は、後述するとおり、羽根部１０がＣＣＷ方向に回転する際に、羽根部１０の第１平面状歯車１８と前板部２０の第２平面状歯車２６とが互いに滑ることができる程度に設定されている。
【００７０】
図１２に示すように、風車２が遊技盤１１０に取り付けられた状態において、前板部２０の貫通孔２１ｈ、前板規制部材２３の貫通孔２３ｈ、羽根部１０の貫通孔１１ｈ、及び押しばね１２９の順にそれぞれ風車くぎ１２８が通される。そして、図１２に示すように、羽根部１０、前板部２０等に風車くぎ１２８に通した状態で、風車くぎ１２８が遊技板部材１１０ｄにおける所定の位置に打ち込まれる。そして、風車２において、羽根部１０における第１平面状歯車１８と前板部２０における第２平面状歯車２６とが対峙するように取り付けられる。この状態において、第１平面状歯車１８の各々の面構造１８ａにおいて、第１平面状歯車１８がＣＷ方向に回転した際に、面構造１８ａの進行方向前側に壁面１８２が位置し、その逆側となる進行方向後ろ側に斜面１８１が位置する。一方、第２平面状歯車２６の各々の歯２６ａは、上記の歯１８ａの壁面１８２と対向する側に壁面２６２が位置し、その逆側に斜面２６１が位置する。また、図１２に示すように、遊技板部材１１０ｄと羽根部１０との間に設けられる押しばね１２９が羽根部１０を前板部２０側へと押し付け、羽根部１０の第１平面状歯車１８と前板部２０の第２平面状歯車２６とが接続する。
【００７１】
以上のように構成される風車２では、羽根部１０がＣＷ方向に回転する際、羽根部１０の第１接続部１７の第１平面状歯車１８が、前板部２０の第２接続部２５の第２平面状歯車２６に掛かることで羽根部１０の回転力を前板部２０へと伝達する。また、風車２では、羽根部１０がＣＣＷ方向に回転する際、羽根部１０の第１接続部１７の第１平面状歯車１８が前板部２０の第２接続部２５の第２平面状歯車２６を滑ることで第２平面状歯車２６に掛からずに羽根部１０の回転力の前板部２０への伝達を制限する。
なお、実施形態２が適用される風車２において、第１平面状歯車１８が第１の面構造体として、第２平面状歯車２６が第２の面構造体として機能する。
【００７２】
また、図１２に示すように、前板規制部材２３は、前板部２０の内歯車２７に嵌め込まれる。そして、前板規制部材２３の歯２３ａと、前板部２０の内歯車２７の歯２７ａとが噛み合うように取り付けられる。
実施形態２が適用される風車２では、羽根部１０がＣＷ方向に回転する際には、前板規制部材２３の歯２３ａが変形することで歯２７ａに対して歯２３ａを滑らせて前板部２０のＣＷ方向の回転は規制しない。一方、風車２では、羽根部１０がＣＣＷ方向に回転する際には、前板部２０の内歯車２７の歯２７ａに前板規制部材２３の歯２３ａを引っ掛けることで前板部２０のＣＣＷ方向の回転を規制する。
【００７３】
〔風車２の動作〕
続いて、図１３を参照しながら、風車２の動作を説明する。なお、図１３（ａ−１）及び（ａ−２）は羽根部１０がＣＷ方向に回転する場合における風車２を説明するための図であり、図１３（ｂ−１）及び（ｂ−２）は羽根部１０がＣＣＷ方向に回転する場合の風車２の模式図である。また、図１３においては、図面が煩雑になることを避けるために軸筒１１や羽根板１２などの図示を省略している。
【００７４】
発射装置にて発射された遊技球が遊技領域１１１（図１参照）に供給されると、遊技球は、遊技くぎ１２７に接触して流下方向が変化しながら、遊技領域１１１を流れてゆく。遊技領域１１１を流下する遊技球のうち風車２へと到達した遊技球は、羽根部１０の軸筒１１や羽根板１２に衝突する。
【００７５】
遊技球が風車くぎ１２８の右側を流れる場合、風車くぎ１２８の右側に位置する羽根板１２が遊技球を受けることで、羽根部１０がＣＷ方向に回転する。羽根部１０がＣＷ方向に回転することにより、羽根部１０における第１接続部１７の第１平面状歯車１８もＣＷ方向に回転する。ここで、風車２では、押しばね１２９のばね力によって羽根部１０が前板部２０側に押し込まれている（図１２参照）。これにより、風車２において、第１平面状歯車１８と第２平面状歯車２６とが噛み合う。そして、図１３（ａ−１）に示すように、第１平面状歯車１８における面構造１８ａの壁面１８２が、第２平面状歯車２６における面構造２６ａの壁面２６２に引っ掛かる。そうすると、第１平面状歯車１８の壁面１８２が第２平面状歯車２６の壁面２６２を押し、前板部２０がＣＷ方向に回転する。
【００７６】
また、前板部２０がＣＷ方向に回転する際は、前板規制部材２３による回転の規制は働かない。即ち、図１３（ａ−２）に示すように、前板部２０がＣＷ方向に回転するとき、内歯車２７における歯２７ａの斜面２７１から、前板規制部材２３における歯２３ａの斜面２３１に接触することで、内歯車２７は、前板規制部材２３には引っ掛からずに滑る。そのため、前板部２０がＣＷ方向に回転しようとする際、前板部２０はＣＷ方向に回転することができる。
以上のように、本実施形態が適用される風車２において、羽根部１０がＣＷ方向に回転する場合、前板部２０は、羽根部１０の回転に伴ってＣＷ方向に回転するようになっている。
【００７７】
一方、遊技球が風車くぎ１２８の左側を流れる場合、風車くぎ１２８の左側に位置する羽根板１２が遊技球を受けることで、羽根部１０はＣＣＷ方向に回転する。羽根部１０がＣＣＷ方向に回転することにより、羽根部１０における第１接続部１７の第１平面状歯車１８もＣＣＷ方向に回転する。そして、図１３（ｂ−１）に示すように、第１平面状歯車１８における面構造１８ａの斜面１８１と、第２平面状歯車２６における面構造２６ａの斜面２６１との間に滑りが生じる。なお、第１平面状歯車１８における面構造１８ａの斜面１８１と、第２平面状歯車２６における面構造２６ａの斜面２６１とが滑ることによる、羽根部１０の軸方向の遊技板部材１１０ｄ側への変位は、押しばね１２９（図１２参照）によって吸収される。以上のように、羽根部１０がＣＣＷ方向に回転した場合、羽根部１０の回転力は逸らされて前板部２０へと伝達されない。
【００７８】
さらに、前板部２０がＣＣＷ方向に回転しようとしても、前板規制部材２３によってＣＣＷ方向の回転が規制される。即ち、図１３（ｂ−２）に示すように、前板部２０がＣＣＷ方向に回転しようとする際、内歯車２７における歯２７ａの壁面２７２が、前板規制部材２３における歯２３ａの壁面２３２に引っ掛かる。前板規制部材２３は、風車くぎ１２８に固定されており回転しない。従って、風車２において、前板部２０は、ＣＣＷ方向には回転しない。
本実施形態が適用される風車２において、羽根部１０がＣＣＷ方向に回転する場合、前板部２０は、羽根部１０の回転に対する追従が抑制され、ＣＣＷ方向の回転が制限される。
【００７９】
〔実施形態３〕
続いて、実施形態３が適用される風車３について説明する。なお、実施形態１が適用される風車１及び実施形態２が適用される風車２における部材等と同様のものについては、同一の符号を付してその説明を省略する。また、実施形態３が適用される風車３は、遊技機１の遊技盤１１０において実施形態１が適用される風車１が配置される位置と同様の位置に取り付けられる（図１参照）。
図１４〜図１７は、実施形態３が適用される風車３を説明するための図である。図１４（ａ）、（ｂ）は実施形態３が適用される風車３の全体図、図１５（ａ）、（ｂ）は実施形態３が適用される風車３の分解図である。また、図１６は実施形態３が適用される風車３の断面図であり、図１７（ａ−１）、（ａ−２）、（ｂ−１）、（ｂ−２）は、実施形態３が適用される風車３の動作を説明するための図である。
なお、以下の説明において、風車２における各部材の回転方向を表現する際には、図１４（ａ）に示す風車３の羽根部１０の回転方向に関するＣＷ方向及びＣＣＷ方向を基準とする。
【００８０】
実施形態３の風車３は、図１４（ａ）及び（ｂ）に示すように、遊技球を受けて回転する羽根部１０と、羽根部１０の遊技盤面側とは反対側に設けられる前板部２０と、羽根部１０及び前板部２０が通される風車くぎ１２８に取り付けられる前板規制部材２３（後述の図１５参照）とを備えている。また、風車３は、羽根部１０が一方向に回転した際には羽根部１０から前板部２０への回転力の伝達し、羽根部１０が他方向に回転した際には羽根部１０から前板部２０への回転力の伝達を制限する接続部（後述）を備えている。なお、実施形態３が適用される風車３において、接続部は、後述する第３接続部５１と第４接続部６１（後述の図１５参照）とを備えて構成される。
風車３において、羽根部１０と前板部２０とは固定されておらずに、それぞれ分離して独立して回転可能に構成されている。そして、接続部は、本実施形態では羽根部１０がＣＷ方向に回転する際、羽根部１０の回転力を前板部２０に伝達する。また、接続部は、本実施形態では羽根部１０がＣＣＷ方向に回転する際、前板部２０に対する羽根部１０の回転力の伝達を抑制する。
【００８１】
図１５（ａ）に示すように、羽根部１０は、軸筒１１と、軸筒１１から放射状に延びる羽根板１２と、軸筒１１の軸方向一端側に設けられる第３接続部５１とを備えて構成されている。そして、第３接続部５１は、図１５（ａ）に示すように、受け部５２と、第３平面状歯車５３とを備えている。
受け部５２は、ねじ５５（後述）のねじ受けとなる複数（本実施形態においては４つ）のねじ穴５２Ｈを有する円盤状の部材である。受け部５２は、軸筒１１の軸方向の一端端に設けられる。なお、図１５（ａ）及び（ｂ）においては、図面が煩雑になることを避けるため、ねじ５５を１本のみ表示している。
【００８２】
第３平面状歯車５３は、平面状の歯車である。第３平面状歯車５３は、複数（本実施形態においては４枚）の面構造５３ａによって構成されている。第３平面状歯車５３を構成する各々の面構造５３ａは、軸方向における面の高さが、円周方向のＣＷ方向に向けて次第に高くなるように傾斜する斜面５３１（傾く面）と、斜面５３１から軸方向に切り下がる壁面５３２（回転軸方向に切り立つ面）との連続によって構成されている。このように、第３平面状歯車５３は、回転軸方向に傾く複数の面が段差を有して放射状に形成されている。
【００８３】
また、図１５（ａ）に示すように、各々の斜面５３１には、ねじ５５を通す貫通孔５３３及び、ねじ５５のねじ頭を収容する凹部５３４が形成される。そして、第３平面状歯車５３は、ねじ５５によって上述した受け部５２に連結される。ただし、第３平面状歯車５３と受け部５２とは、ねじ５５により密着して固定されるのではなく、隙間が形成されることで所謂遊びを設けて取り付けられる。さらに、図１５（ａ）、（ｂ）に示すように、第３平面状歯車５３と受け部５２との間には、風車くぎ１２８に巻き付けた圧縮コイルばねである押しばね５６が設けられている。
このように構成される第３接続部５１において、第３平面状歯車５３は、受け部５２に対して上記の隙間（遊び）の分だけ軸方向に移動可能に構成されている。そして、本実施形態において、押しばね５６の伸び縮みに応じて、第３平面状歯車５３と受け部５２との距離が伸縮できるように構成している。また、押しばね５６のばね力は、後述するとおり、羽根部１０がＣＣＷ方向に回転する際に、羽根部１０の第３平面状歯車５３と前板部２０の第４平面状歯車６２とが互いに滑ることができる程度に設定されている。
【００８４】
前板部２０は、回転板２１と第４接続部６１とを備えている。第４接続部６１は、図１５（ｂ）に示すように、平面状の歯車である第４平面状歯車６２と、第４平面状歯車６２の内側に形成される内歯車６４とを有している。
第４平面状歯車６２は、複数（本実施形態においては４つ）の面構造６２ａ（爪部）によって構成されている。第４平面状歯車６２を構成する各々の面構造６２ａは、軸方向における面の高さが、周方向のＣＣＷ方向に向けて次第に高くなるようになだらかに傾斜する斜面６２１と、斜面６２１のＣＣＷ方向の端から軸方向に切り下がる壁面６２２とによって構成されている。
そして、風車３においては、遊技盤１１０に取り付けられた状態にて、第３平面状歯車５３の斜面５３１と、第４平面状歯車６２の斜面６２１とは、互いに向き合う関係となっている。また、風車３においては、遊技盤１１０に取り付けられた状態にて、第３平面状歯車５３の壁面５３２と、第４平面状歯車６２の壁面６２２とは、互いに向き合う関係となっている。
【００８５】
内歯車６４は、図１５（ｂ）に示すように、第４接続部６１の内側に設けられる。内歯車６４は、前板規制部材２３と噛み合うように構成されている。内歯車６４は、図１５（ｂ）に示すように、回転軸中心に向けて突出する複数（本実施形態では４つ）の歯６４ａを有している。各々の歯６４ａは、軸心から内周面までの距離が、周方向にＣＷ方向に次第に大きくなる斜面６４１と、斜面６４１のＣＷ方向の端から切り下がる壁面６４２とを備えて構成される。そして、内歯車６４の斜面６４１及び壁面６４２は、内歯車６４がＣＣＷ方向に回転した際に、歯６４ａの進行方向前側に壁面６４２が位置し、進行方向後ろ側に、回転中心から外周面までの距離が壁面６４２に向けて次第に長くなる斜面６４１が位置するように設けられる。
【００８６】
前板規制部材２３は、図１５（ｂ）に示すように、複数（本実施形態では４本）の歯２３ａを有する歯車であり、前板部２０の内歯車６４と噛み合う部材である。前板規制部材２３は、風車くぎ１２８に固定されており、風車くぎ１２８に対しては回転しない。各々の歯２３ａは、図１５（ｂ）に示すように、軸心から外周面までの距離が、周方向のＣＷ方向において次第に大きくなるようになだらかに傾斜した斜面２３１と、斜面２３１のＣＷ方向の端から切り下がる壁面２３２とによって構成されている。また、各々の歯２３ａは、前板部２０における内歯車６４の歯６４ａに接触して圧縮変形し、歯６４ａとの接触が解かれると復元する程度の弾性を有するように設定している。
【００８７】
図１６に示すように、風車３が遊技板部材１１０ｄに取り付けられた状態において、前板部２０の貫通孔２１ｈ、前板規制部材２３の貫通孔２３ｈ、羽根部１０の貫通孔１１ｈの順に風車くぎ１２８に通される。そして、図１６に示すように、羽根部１０、前板部２０等に風車くぎ１２８を通した状態で、風車くぎ１２８が遊技板部材１１０ｄにおける所定の位置に打ち込まれる。風車３において、羽根部１０における第３平面状歯車５３と前板部２０における第４平面状歯車６２とが対峙するように取り付けられる。この状態において、第３平面状歯車５３の各々の面構造５３ａにおいて、第３平面状歯車５３がＣＷ方向に回転した際に、面構造５３ａの進行方向前側に壁面５３２が位置し、その逆側となる進行方向後ろ側に斜面５３１が位置する。一方、第４平面状歯車６２の各々の歯６２ａは、上記の歯５３ａの壁面５３２と対向する側に壁面６２２が位置し、その逆側に斜面６２１が位置する。
そして、羽根部１０が遊技板部材１１０ｄに接触しているため、第３接続部５１における押しばね５６のばね力によって、第３平面状歯車５３が前板部２０の第４平面状歯車６２へと押し付けられ、羽根部１０の第３平面状歯車５３と前板部２０の第４平面状歯車６２とが接続する。
【００８８】
以上のように構成される風車３では、羽根部１０がＣＷ方向に回転する際、羽根部１０の第３接続部５１の第３平面状歯車５３が、前板部２０の第４接続部６１の第４平面状歯車６２に掛かることで羽根部１０の回転力を前板部２０へと伝達する。また、風車３では、羽根部１０がＣＣＷ方向に回転する際、羽根部１０の第３接続部５１の第３平面状歯車５３が前板部２０の第４接続部６１の第４平面状歯車６２を滑ることで第４平面状歯車６２に掛からずに羽根部１０の回転力の前板部２０への伝達を抑制する。
なお、実施形態３が適用される風車３において、第３平面状歯車５３が第１の面構造体として、第４平面状歯車６２が第２の面構造体として機能する。
【００８９】
また、図１６に示すように、前板規制部材２３は、前板部２０の内歯車６４に嵌め込まれるように取り付けられる。そして、前板規制部材２３の歯２３ａと、前板部２０の内歯車６４の歯６４ａとが噛み合わせられる。
実施形態３が適用される風車３では、前板規制部材２３によって、羽根部１０がＣＷ方向に回転する際には、前板規制部材２３の歯２３ａを変形させることで内歯車６４の歯６４に対して歯２３ａを滑らせて前板部２０のＣＷ方向の回転は規制しない。一方、風車３では、前板規制部材２３によって、羽根部１０がＣＣＷ方向に回転する際には、前板部２０の内歯車６４の歯６４ａに前板規制部材２３の歯２３ａを引っ掛け、前板部２０のＣＣＷ方向の回転を規制する。
【００９０】
〔風車３の動作〕
次に、図１７を参照しながら風車３の動作について説明する。なお、図１７においては、図面が煩雑にならないよう、羽根板１２などの図示を省略している。
発射装置にて発射された遊技球が遊技領域１１１（図１参照）に供給されると、遊技球は、遊技くぎ１２７によってその流下方向が変化させられながら、遊技領域１１１を流れる。遊技領域１１１を流下する遊技球のうち風車３へと到達した遊技球は、羽根部１０の軸筒１１や羽根板１２に衝突する。
【００９１】
遊技球が風車くぎ１２８の右側を流れ落ちる場合、風車くぎ１２８の右側に位置する羽根板１２が遊技球を受けることで、羽根部１０がＣＷ方向に回転する。羽根部１０がＣＷ方向に回転することにより、羽根部１０における第３接続部５１の第３平面状歯車５３もＣＷ方向に回転する。ここで、本実施形態の風車３では、押しばね５６のばね力によって第３平面状歯車５３が前板部２０側へと押し込まれている（図１６参照）。これにより、風車３において、第３平面状歯車５３と第４平面状歯車６２とが接続する。従って、図１７（ａ−１）に示すように、第３平面状歯車５３における面構造５３ａの壁面５３２が、第４平面状歯車６２における面構造６２ａの壁面６２２に引っ掛かる。そうすると、第３平面状歯車５３の壁面５３２が第４平面状歯車６２の壁面６２２をＣＷ方向に押し、前板部２０がＣＷ方向に回転する。
【００９２】
また、前板部２０がＣＷ方向に回転する際には、前板規制部材２３による前板部２０のＣＷ方向への回転の規制は働かない。即ち、図１７（ａ−２）に示すように、前板部２０がＣＷ方向に回転するとき、内歯車６４における歯６４ａの斜面６４１から、前板規制部材２３における歯２３ａの斜面２３１に接触することで、歯２３ａが押し潰される。そして、前板部２０の内歯車６４の歯６４ａが前板規制部材２３の歯２３ａに引っ掛からずに滑るため、前板部２０はＣＷ方向に回転することができる。
以上のように、本実施形態が適用される風車３において、羽根部１０がＣＷ方向に回転する場合、前板部２０は、羽根部１０の回転に伴って回転する。
【００９３】
一方、遊技球が風車くぎ１２８の左側を流れる場合、風車くぎ１２８の左側に位置する羽根板１２が遊技球を受けることで、羽根部１０はＣＣＷ方向に回転する。羽根部１０がＣＣＷ方向に回転することにより、羽根部１０における第３接続部５１の第３平面状歯車５３もＣＣＷ方向に回転する。この際に、図１７（ｂ−１）に示すように、第３平面状歯車５３における面構造５３ａの斜面５３１と、第４平面状歯車６２における面構造６２ａの斜面６２１との間には滑りが生じる。なお、第３平面状歯車５３における面構造５３ａの斜面５３１と、第４平面状歯車６２における面構造６２ａの斜面６２１とが滑ることによる、第３平面状歯車５３の軸方向の羽根板１２側への変位は、押しばね５６によって吸収される。このように、羽根部１０がＣＣＷ方向に回転した場合、羽根部１０の回転力は逸らされ、前板部２０へと伝達されない。
【００９４】
さらに、前板部２０がＣＣＷ方向に回転しようとしても、前板規制部材２３によってＣＣＷ方向の回転が規制される。図１７（ｂ−２）に示すように、前板部２０がＣＣＷ方向に回転しても、内歯車６４における歯６４ａの壁面６４２が、前板規制部材２３における歯２３ａの壁面２３２に引っ掛かる。前板規制部材２３は、風車くぎ１２８に固定されており回転しないため、前板部２０はＣＣＷ方向には回転しない。
以上のように、本実施形態が適用される風車３において、羽根部１０がＣＣＷ方向に回転する場合、前板部２０は、羽根部１０の回転に対する追従が抑制される。
【００９５】
上記のように構成される風車３において、第３平面状歯車５３は、羽根部１０本体及び前板部２０とは分離して構成され、第３平面状歯車５３は別体として構成されている。そして、押しばね５６が、第３平面状歯車５３のみを前板部２０側へと付勢するようにしている。従って、押しばね５６は、少なくとも第３平面状歯車５３を回転軸方向に移動させるだけのばね力を有していれば良い。このばね力は、例えば羽根部１０全体を回転軸方向に押すように構成した場合と比較して小さくなる。このように、風車３では、ばね力を比較的小さくすることができるため、羽根部１０の第３平面状歯車５３における面構造５３ａを前板部２０の第４平面状歯車６２における面構造６２ａに対して滑らせようとする際、両者間の抵抗を比較的小さくすることが可能となる。
なお、実施形態３において、第３平面状歯車５３が連結部の一例として機能する。
【００９６】
以上のように構成される風車１〜３において、羽根部１０と前板部２０との回転数の差異について説明する。
ここでは、ＣＷ方向への回転数とＣＣＷ方向への回転数とを単純に加算して総回転数とする。例えば、羽根部１０のＣＷ方向への回転数が例えば１００回であり、さらにＣＣＷ方向への回転数が例えば１００回である場合、羽根部１０のＣＷ方向への回転とＣＣＷ方向への回転とを合わせた総回転数は２００回となる。
一方、羽根部１０の総回転数が上記のように２００回転である場合において、その羽根部１０がＣＷ方向に１００回転することによって、前板部２０は、羽根部１０の回転に伴って少なくともＣＷ方向に１００回転する。しかし、羽根部１０がＣＣＷ方向に１００回転しても、前板部２０は、羽根部１０のＣＣＷ方向の回転に追従することが抑制されているため、ＣＣＷ方向にはほとんど回転しない。従って、羽根部１０の総回転数が上記のように２００回転である場合において、前板部２０のＣＷ方向への回転とＣＣＷ方向への回転とを合わせた総回転数は２００回を下回るとともに、１００回を大きく越えない。
【００９７】
さらに、例えば羽根部１０が１個の遊技球を受けて１回転するとして、具体的に説明する。例えば、１００個の遊技球が羽根部１０の右側半分を通過し、１００個の遊技球が羽根部１０の左側半分を通過すると、羽根部１０のＣＷ方向への回転とＣＣＷ方向への回転とを合わせた総回転数は２００回となる。
一方で、前板部２０は、羽根部１０の回転に伴って少なくともＣＷ方向に１００回転する。しかし、羽根部１０がＣＣＷ方向に１００回転しても、前板部２０は、羽根部１０のＣＣＷ方向の回転に追従することが抑制されているため、ＣＣＷ方向にはほとんど回転しない。従って、例えば１００個の遊技球が羽根部１０の右側半分を通過し、１００個の遊技球が羽根部１０の左側半分を通過する場合に、前板部２０のＣＷ方向への回転とＣＣＷ方向への回転とを合わせた総回転数は２００回を下回るとともに、１００回を大きく越えない。
【００９８】
本実施形態が適用される風車１〜３において、前板部２０のＣＷ方向への回転とＣＣＷ方向への回転とを合わせた総回転数は、羽根部１０のＣＷ方向への回転とＣＣＷ方向への回転とを合わせた総回転数と比較して小さくなる。このように、本実施形態では、従来技術のように羽根部と前板部とを固定して各々の総回転数が一致するように構成するのではなく、前板部２０の総回転数と羽根部１０の総回転数とが異なるように構成することで、遊技者にとって有利となる方向にばかりに遊技球が流れているように演出することを可能にしている。
【００９９】
なお、上述した実施形態１〜３において、羽根部１０が時計回りに回転した際には前板部２０が時計回りに回転し、羽根部１０が反時計回りに回転した際には前板部２０は反時計回りの回転が抑制されるように構成した例について説明した。この回転方向の関係については、上述の実施形態に限定されるものではない。例えば、図１に示す風車１’のように、遊技領域の右側半分の領域に配置される場合、例えば第１始動口１２１へと遊技球が向かい易くなる風車１’の回転方向は反時計回りとなる。このような場合、風車１’において、羽根部１０が反時計回りに回転した際には前板部２０が反時計回りに回転し、羽根部１０が時計回りに回転した際には前板部２０の時計回りの回転が制限されるように構成しても良い。この場合、例えば実施形態１にて説明した風車１と基本的に同様な構造を採用する場合、羽根部１０の歯車１３の周方向における斜面１３１および壁面１３２の向きを、前板部２０の内歯車２２の周方向における斜面２２１及び壁面２２２の向きを、実施形態１において説明した風車１に対してそれぞれ逆の関係にすれば良い。
【符号の説明】
【０１００】
１,２,３…風車、１０…羽根部、１２…羽根板、１３…歯車、２０…前板部、２１…回転板、２２…内歯車、１００…パチンコ遊技機
【図１】
0005643017.tif 000002
【図２】
0005643017.tif 000003
【図３】
0005643017.tif 000004
【図４】
0005643017.tif 000005
【図５】
0005643017.tif 000006
【図６】
0005643017.tif 000007
【図７】
0005643017.tif 000008
【図８】
0005643017.tif 000009
【図９】
0005643017.tif 000010
【図１０】
0005643017.tif 000011
【図１１】
0005643017.tif 000012
【図１２】
0005643017.tif 000013
【図１３】
0005643017.tif 000014
【図１４】
0005643017.tif 000015
【図１５】
0005643017.tif 000016
【図１６】
0005643017.tif 000017
【図１７】
0005643017.tif 000018